(57)【要約】【課題】海底の砂の巻き上げに伴う沖合いへの流出を防止し、藻場等を回復させ、安価で簡易施工性で、漁礁、人工藻場、人工珊瑚礁等の生物保護資源としても好適な海底砂流出防止装置を提供する。【解決手段】三次元スプリング構造体３とコンクリート重錘５から成る海底砂流出防止装置を海中に設置することで、海底から砂を巻き上げる波を、張り出し部３ｄで受け止め、波だけを流して、砂を巻き上げさせないようにする。また、三次元スプリング構造体３は海草などの育成を促進させる構造を有するので藻場の回復に適し、押出し成形であるから安価且つ簡易に藻場に適した三次元スプリング構造体３を成形することが可能である。【選択図】　図２
2004052421.tif 000002
【特許請求の範囲】
【請求項１】
熱可塑性樹脂の複数の連続線条のランダムなループの隣接する線条相互を接触絡合集合して成る三次元スプリング構造体を成し、コンクリート重錘の少なくとも上面に固定具で固定される固定部と、
熱可塑性樹脂の連続線条から構成され、前記固定部と一体的に形成され、前記コンクリート重錘の端部を超えて横方向に延び出して基端と自由端を形成し、海底の砂の下方からの舞い上がりにより揺れ動く張り出し部とを備えたことを特徴とする海底砂流出防止装置。
【請求項２】
前記張り出し部は、ブラシ状に形成されることを特徴とする請求項１の海底砂流出防止装置。
【請求項３】
前記張り出し部は、熱可塑性樹脂の複数の連続線条のランダムなループの隣接する線条相互を接触絡合集合して成る三次元スプリング構造体を成すことを特徴とする請求項１の海底砂流出防止装置。
【請求項４】
前記固定部及び張り出し部は、概ね水平であることを特徴とする請求項１乃至３いずれかの海底砂流出防止装置。
【請求項５】
前記固定部は、垂直にＬ字形状に折り曲げられた形状であることを特徴とする請求項１乃至４いずれかの海底砂流出防止装置。
【請求項６】
前記三次元スプリング構造体の面方向に複数の貫通穴を形成し、前記コンクリート重錘にねじ棒又はアンカーボルトを立設し、該ねじ棒又はアンカーボルトを前記貫通穴に貫通させ、ナットで締着したことを特徴とする請求項１乃至５いずれかの海底砂流出防止装置。
【請求項７】
前記三次元スプリング構造体を前記コンクリート重錘に接着剤で貼り付けたことを特徴とする請求項１乃至５いずれかの海底砂流出防止装置。
【請求項８】
前記三次元スプリング構造体と前記コンクリート重錘とが角形であって、４５度の角度をなすことを特徴とする請求項１乃至７いずれかの海底砂流出防止装置。
【請求項９】
前記コンクリート重錘が三角頂面を備えたことを特徴とする請求項１乃至８いずれかの海底砂流出防止装置。
【請求項１０】
前記三次元スプリング構造体が、上面又は側面に凹凸面、又は中空部を備えたことを特徴とする請求項１乃至９いずれかの海底砂流出防止装置。
【請求項１１】
前記三次元スプリング構造体とコンクリート重錘が１つのユニットとなり、前記コンクリート重錘が引掛金具を側面に備え、コンクリート重錘同士が連結部材で連結可能であることを特徴とする請求項１乃至１０いずれかの海底砂流出防止装置。
【請求項１２】
前記コンクリート重錘が貫通穴を備え、該貫通穴に面する内面に前記三次元スプリング構造体を固定することを特徴とする請求項１乃至１１いずれかの海底砂流出防止装置。
【請求項１３】
前記コンクリート重錘に鉄片を内包又は混入させたことを特徴とする請求項１乃至１２いずれかの海底砂流出防止装置。
【請求項１４】
少なくとも前記固定部に鉄片を内包又は混入させたことを特徴とする請求項１乃至１２いずれかの海底砂流出防止装置。
【請求項１５】
前記固定部が低空隙率に形成された高密部から成り、前記張り出し部が前記高密部よりも高空隙率に形成された粗密部をなし、前記粗密部と高密部の平均空隙率を３０％〜９８％としたことを特徴とする請求項１乃至１４いずれかの海底砂流出防止装置。
【請求項１６】
前記平均空隙率は、好ましくは、５０％〜９５％、より好ましくは７０％〜８０％である請求項１５記載の海底砂流出防止装置。
【請求項１７】
熱可塑性樹脂の複数の連続線条のランダムなループの隣接する線条相互を接触絡合集合して成る三次元スプリング構造体を成し、
該三次元スプリング構造体を突き合わせ、
該三次元スプリング構造体を固定具で海底に固定することを特徴とする海底砂流出防止装置。
【請求項１８】
前記三次元スプリング構造体が方形とされて、その両辺が中央部よりも高密部とされ、該両辺のうちの一辺を折り曲げて段部に形成し、他辺を平板部とし、隣接する前記三次元スプリング構造体の前記段部と平板部とを重ねた状態で、固定具で海底に固定することを特徴とする請求項１７記載の海底砂流出防止装置。
【請求項１９】
前記三次元スプリング構造体が方形とされて、その両辺が中央部よりも高密部とされ、隣接する前記三次元スプリング構造体の辺を突き合わせ、突き合わせ部分の上に固定用の三次元プリング構造体を重ねた状態で、固定具で海底に固定することを特徴とする請求項１７記載の海底砂流出防止装置。
【請求項２０】
熱可塑性樹脂の複数の連続線条のランダムなループの隣接する線条相互を接触絡合集合して成る三次元スプリング構造体を成し、
該三次元スプリング構造体を突き合わせ、
該三次元スプリング構造体の上にコンクリート重錘を積載し、海底に固定することを特徴とする海底砂流出防止装置。
【請求項２１】
前記三次元スプリング構造体を固定具で海底に固定することを特徴とする請求項２０記載の海底砂流出防止装置。
【発明の詳細な説明】
【０００１】
【発明の属する技術分野】
本発明は、海底砂流出防止装置に関し、特に、海底の砂が沖に流出することを防止し、藻場等の減少を防止し、しかも優れた海草等の繁殖機能をも発揮する海底砂流出防止装置に関する。
【０００２】
【従来の技術】
従来、海岸線に、コンクリートブロック、突堤、堤防等の人工構築物、或いは大波等の自然等、様々な原因によって、沖へ砂が流出してしまう現象がある。例えば、台風時や冬場には激しい波が起こり砂を巻き上げ、かなり沖までその砂を持ってゆくおそれがある。戻ってくる漂砂もあるが、実際は、一部しか戻ってこずに、その差分だけ砂の流出が生じているといわれている。これを解決するため、漂砂制御に関して種々の提案がなされている。
例えば、特開平０９−１２５３３６号に示す漂砂制御構造物は、海浜部の漂砂を制御することができるようにすると共に、水流が沖に向かう場合には漂砂抑制効果が増大し、一方、水流が岸に向かう場合には漂砂を遮断しないようにするものである。海底構造物は、海浜部の砂が沖に流出するのを抑制し、且つ、岸に向かう砂の流れを遮断しない。そして、曲折面が長辺方向に延長すると共に両長辺を近接あるいは当接するように、長尺の板体を折り返して曲折板体を形成し、曲折面が汀線にほぼ並行して対向するように、曲折板体を海底に固定する。また、曲折板体の両長辺に沿つた少なくとも所定幅を弾性材料で形成し、この両長辺を海底に固定するものである。
また、特開平１１−３６２５８号に示す漂砂制御用施工体は、海岸に沿つて設置したときに各ブロックのそれぞれが歪み砂れんのパタ−ンを崩すことなく砂の移送効率が高い漂砂制御用施工体を提供するものである。海底に倣う変形可能なシ−トの上にそれぞれ上下方向の折れ曲がり可能に複数のブロックを配列してシ−トに接合し、配列されたブロックが正弦波を波長方向の一方に偏位させた歪み砂れんに近似する連続した表面プロフィールを描く形状とし、海岸線に対するブロックの配列方向に従ってたとえば海岸からの砂の流出の抑制や沖合からの浮遊砂の海岸側への移送を可能とする。そして、海岸近くにおける漂砂の移動方向が所定の向きとなるように制御することで海岸の浸食を防止するものである。
【０００３】
【発明が解決すべき課題】
しかしながら、上記の従来技術は、コンクリート製漂砂制御用施工体の発想の枠内であり、漂砂制御用施工体が大規模に設置されたとしても、漂砂制御用施工体の上に繁殖できる生物資源の量は限定されてしまい、魚や昆布等、生物の繁殖場の回復には未だ充分なものとはいえない。
【０００４】
従来の漂砂制御用施工体はコンクリートであり、ｐｈ１０〜１３と強アルカリ性であるために海藻等が着生するまで２〜３年かかり、即効的な効果は期待できない。また、着生した海藻、海草等の根が直接アルカリに触れるためアルカリに侵され立ち枯れる場合があるほか、藻食魚介類からの幼葉体の食害が大きく、海苔、ワカメ等の種付けが困難である。
【０００５】
鉄鋼製漁礁は表面が滑らかな為、着生率が悪く、集魚効果が低い。また、海苔、ワカメ等の種付けが困難などの問題点を有する。
【０００６】
本願発明は、海底の砂の巻き上げに伴う沖合いへの流出を防止し、藻場等を回復させ、安価で簡易施工性で、漁礁、人工藻場、人工珊瑚礁等の生物保護資源としても好適な海底砂流出防止装置を提供するものである。
【０００７】
【課題を解決するための手段】
請求項１記載の発明は、熱可塑性樹脂の複数の連続線条のランダムなループの隣接する線条相互を接触絡合集合して成る三次元スプリング構造体を成し、コンクリート重錘の少なくとも上面に固定具で固定される固定部と、熱可塑性樹脂の連続線条から構成され、前記固定部と一体的に形成され、前記コンクリート重錘の端部を超えて横方向に延び出して基端と自由端を形成し、海底の砂の下方からの舞い上がりにより揺れ動く張り出し部とを備えたことを特徴とする海底砂流出防止装置である。
【０００８】
コンクリート重錘により海底に固定され、海底から巻き上げられる砂流を張り出し部の揺れ動きによって防ぐことで、沖合いへの流出を防止できる。前記張り出し部は、三次元スプリング構造体であるので、海水は通すが砂の通過を阻止することができ、砂の巻上げを効果的に防止できるものである。
緊締金具が結合・分離可能な構造であり、三次元スプリング構造体をコンクリート重錘から離脱できる構造であれば、緊締金具を解くことで三次元スプリング構造体をコンクリート重錘から分離し、三次元スプリング構造体に付着成長した昆布等の海藻類の回収が容易で、交換やリサイクルが可能である。緊締金具が分離不能な構造であれば、三次元スプリング構造体とコンクリート重錘との結合が強固となる。緊締金具はボルト・ナット等が好ましいが、その他の構造でもよい。
張り出し部の長さは５０〜１００ｃｍが好ましい。
【０００９】
請求項２記載の発明は、前記張り出し部は、ブラシ状に形成されることを特徴とする請求項１の海底砂流出防止装置である。ブラシ状に形成されていることで、砂流出防止効果が高まる。
【００１０】
請求項３記載の発明は、前記張り出し部は、熱可塑性樹脂の複数の連続線条のランダムなループの隣接する線条相互を接触絡合集合して成る三次元スプリング構造体を成すことを特徴とする請求項１の海底砂流出防止装置である。これにより三次元スプリング構造体の強度が高まる。
【００１１】
請求項４記載の発明は、前記固定部及び張り出し部は、概ね水平であることを特徴とする請求項１乃至３いずれかの海底砂流出防止装置である。これにより製造が簡単になる。
【００１２】
請求項５記載の発明は、前記固定部は、垂直にＬ字形状に折り曲げられた形状であることを特徴とする請求項１乃至４いずれかの海底砂流出防止装置である。潮の流れによる動きが少なく耐久性が高まる。
【００１３】
請求項６記載の発明は、前記三次元スプリング構造体の面方向に複数の貫通穴を形成し、前記コンクリート重錘にねじ棒又はアンカーボルトを立設し、該ねじ棒又はアンカーボルトを前記貫通穴に貫通させ、ナットで締着したことを特徴とする請求項１乃至５いずれかの海底砂流出防止装置である。三次元スプリング構造体のコンクリート重錘からの分離作業が容易である。
ここで、アンカーボルトは、コンクリート重錘に三次元スプリング構造体を固定するためのボルトである。このアンカーボルトは、あらかじめ所定の位置にアンカーボルトの基部を埋め込んでおく場合と、後からアンカーホールをドリルなどで空けてアンカーボルトを押し込む、あるいは叩き込む、又は接着剤で固める場合とがある。据え付けの時にもう一度、位置を調整したりする必要がある場合は、箱抜きを使用することもある。コンクリート重錘を打設するときに、箱形のものを埋め込んでおいて、これを抜いて大きめのアンカーホールを作っておくこともある。アンカーボルトの位置を精密に決めて置くと、後から温度の影響で伸び縮みする可能性があるからである。アンカーホールの中にアンカーボルトを所定の位置に固定するため、コンクリートを打つ前に鉄骨製のアンカーフレームをセットしておくことがある。
【００１４】
請求項７記載の発明は、前記三次元スプリング構造体を前記コンクリート重錘に接着剤で貼り付けたことを特徴とする請求項１乃至５いずれかの海底砂流出防止装置である。これにより固定が確実となる。
【００１５】
請求項８記載の発明は、前記三次元スプリング構造体と前記コンクリート重錘とが角形であって、４５度の角度をなすことを特徴とする請求項１乃至７いずれかの海底砂流出防止装置である。
【００１６】
請求項９記載の発明は、前記コンクリート重錘が三角頂面を備えたことを特徴とする請求項１乃至８いずれかの海底砂流出防止装置である。
【００１７】
請求項１０記載の発明は、前記三次元スプリング構造体が、上面又は側面に凹凸面、又は中空部を備えたことを特徴とする請求項１乃至９いずれかの海底砂流出防止装置である。これにより藻等の繁殖効率が高まる。
【００１８】
請求項１１記載の発明は、前記三次元スプリング構造体とコンクリート重錘が１つのユニットとなり、前記コンクリート重錘が引掛金具を側面に備え、コンクリート重錘同士が連結部材で連結可能であることを特徴とする請求項１乃至１０いずれかの海底砂流出防止装置である。これにより、前記海底砂流出防止装置を連設することで、海底への固定が確実となる。なお、既設の人工漁礁、離岸堤又は消波ブロック、ケイソンなど海中構築施設に固定することもでき、容易に施工できる可能性がある。
【００１９】
請求項１２記載の発明は、前記コンクリート重錘が貫通穴を備え、該貫通穴に面する内面に前記三次元スプリング構造体を固定することを特徴とする請求項１乃至１１いずれかの海底砂流出防止装置である。これにより海水と三次元スプリング構造体との接触面積を増やし、藻の繁殖効率を高めることができる。
【００２０】
請求項１３記載の発明は、前記コンクリート重錘に鉄片を内包又は混入させたことを特徴とする請求項１乃至１２いずれかの海底砂流出防止装置である。また、鉄イオンの海草類への供給により、増殖を図ることができる。
【００２１】
請求項１３記載の発明によれば、コンクリート重錘に内包又は混入されている鉄片（鋳鉄等）から、鉄イオンが海中に生育する海藻類や植物性プランクトン等に供給できる為、海藻類の増殖に有効である。また、コンクリートや鉄との複合化が容易であり、施工が容易である。
【００２２】
請求項１４記載の発明は、少なくとも前記固定部に鉄片を内包又は鉄粉を混入させたことを特徴とする請求項１乃至１２いずれかの海底砂流出防止装置である。
【００２３】
前記固定部に鉄片（鋳鉄等）を内包又は混入したことで、鉄イオンにより三次元スプリング構造体に付着した昆布等の成長を促進することができる。さらに、三次元スプリング構造体が三次元であるため、三次元スプリング構造体内部に根付いた幼葉体を藻食魚介類による食害から守ることができる。さらに、魚道が自由に製造できるため、集魚効果を高めることができると共に、海苔、ワカメ等の胞子を着生することができるという効果を奏する。
【００２４】
請求項１５記載の発明は、前記固定部が低空隙率に形成された高密部から成り、前記張り出し部が前記高密部よりも高空隙率に形成された粗密部をなし、前記粗密部と高密部の平均空隙率を３０％〜９８％としたことを特徴とする請求項１乃至１４いずれかの海底砂流出防止装置である。
【００２５】
ただし、前記固定部と張り出し部との粗密の設定は種々のものが挙げあられる。例えば、前記固定部が高空隙率に形成された粗密部から成り、前記張り出し部が前記粗密部よりも低空隙率に形成された高密部をなすこともある。
【００２６】
請求項１６記載の発明は、前記平均空隙率は、好ましくは、５０％〜９５％、より好ましくは７０％〜８０％である請求項１５記載の海底砂流出防止装置である。
これにより、海藻、海草の着生率を効果的にすることができる。
【００２７】
請求項１７記載の発明は、熱可塑性樹脂の複数の連続線条のランダムなループの隣接する線条相互を接触絡合集合して成る三次元スプリング構造体を成し、該三次元スプリング構造体を突き合わせ、該三次元スプリング構造体を固定具で海底に固定することを特徴とする海底砂流出防止装置である。これにより請求項１と同様の課題を達成できる。また、三次元スプリング構造体を敷き詰めた上にテトラポット等のコンクリート築造物を載置することで、コンクリート築造物の下の砂の流出を解消することができる。また、藻場が形成され、海底に根を張ることで、海底の砂が流出し難くなる。
【００２８】
請求項１８記載の発明は、前記三次元スプリング構造体が方形とされて、その両辺が中央部よりも高密部とされ、該両辺のうちの一辺を折り曲げて段部に形成し、他辺を平板部とし、隣接する前記三次元スプリング構造体の前記段部と平板部とを重ねた状態で、固定具で海底に固定することを特徴とする請求項１７記載の海底砂流出防止装置である。
【００２９】
請求項１９記載の発明は、前記三次元スプリング構造体が方形とされて、その両辺が中央部よりも高密部とされ、隣接する前記三次元スプリング構造体の辺を突き合わせ、突き合わせ部分の上に固定用の三次元プリング構造体を重ねた状態で、固定具で海底に固定することを特徴とする請求項１７記載の海底砂流出防止装置である。
【００３０】
請求項２０記載の発明は、熱可塑性樹脂の複数の連続線条のランダムなループの隣接する線条相互を接触絡合集合して成る三次元スプリング構造体を成し、該三次元スプリング構造体を突き合わせ、該三次元スプリング構造体の上にコンクリート重錘を積載し、海底に固定することを特徴とする海底砂流出防止装置である。
【００３１】
請求項２１記載の発明は、前記三次元スプリング構造体を固定具で海底に固定することを特徴とする請求項２０記載の海底砂流出防止装置である。
【００３２】
【発明の実施の形態】
次に、本発明の実施形態につき添付図面を参照しながら以下説明する。
図１に示す通り、第１実施形態の昆布礁用ブロックにもなり得る海底砂流出防止装置１は、貫通穴２を備えたコンブ等の藻の培地となり得る三次元スプリング構造体３と、鉄イオンを発生させる鋳鉄ブロック４と、海流により流されないようにするコンクリート重錘５でユニットに構成される。
【００３３】
前記の三次元スプリング構造体３は、熱可塑性樹脂の複数の連続線条のランダムなループの隣接する線条相互を接触絡合集合して成る三次元スプリング構造体を成し、コンクリート重錘５の少なくとも上面に固定される固定部３ａと、熱可塑性樹脂の複数の連続線条のランダムなループの隣接する線条相互を接触絡合集合して成る三次元スプリング構造体を成し、固定部３ａと一体的に形成され、コンクリート重錘５の端部を超えて横方向に延び出して基端３ｂと自由端３ｃを形成し、海底の砂の下方からの舞い上がりにより揺れ動く張り出し部３ｄとを備えている。固定部３ａの空隙率は張り出し部３ｄの空隙率よりも小さく設定されている。つまり固定部３ａは密であり、張り出し部３ｄは疎である。海底では、固定部３ａ及び張り出し部３ｄは、概ね水平であるが、揺動可能である。地上では重力で張り出し部３ｄは若干垂れる。
【００３４】
三次元スプリング構造体３の所定部（例えば中央部）に鋳鉄ブロック４を内包している。鋳鉄ブロック４は、例えば、直径φ＝３０ｍｍ、長さＬ＝５０ｍｍ等適宜の大きさである。貫通穴２は板状の三次元スプリング構造体３の長さ方向に形成されているが他の方向に形成されても良い。
三次元スプリング構造体３とコンクリート重錘５とは、接着剤（モルタル等）６と緊締金具７で固定されている。この緊締金具７は、穴に後付で固着された複数（例えば４本）のアンカーボルト８と、アンカーボルト８と結合できる複数（例えば４本）のナット９（ここではアイナット）とから構成される。アンカーボルト８はコンクリート重錘５に予め埋設されていてもよい。アンカーボルト８はコンクリート重錘５の隅部に形成されることが好ましい。これらのアンカーボルト８に三次元スプリング構造体３に形成された貫通穴１０を挿通させた後、ナット９をアンカーボルト８に結合するわけである。鋳鉄ブロック４は三次元スプリング構造体３に形成された収容穴１１に挿入される。ナット９を外せば、接着剤６を使用しないときには、三次元スプリング構造体３とコンクリート重錘５とを分離できるので、三次元スプリング構造体３の交換、回収が容易である。ナット９の下に座金９ｗを使用して押さえ面積を増大させることもできる。
【００３５】
海底砂流出防止装置１の製造方法は、まず、図２に示す通り、三次元スプリング構造体３の４隅に厚さ方向に貫通穴１０を開ける。次に鋳鉄装着部として三次元スプリング構造体の中央部に厚さ方向に中央部付近まで収容穴１１を開ける。収容穴１１に鋳鉄ブロック４を装着し、コンクリートブロックから上方に突出しているアンカーボルト８に三次元スプリング構造体３の貫通穴１０を嵌め込む。その際にコンクリート重錘５の上面に接着剤６を塗っておく。アンカーボルト８の頭にナット９を装着し、コンクリート重錘５の上に三次元スプリング構造体３を固定する。
【００３６】
図３（ａ）〜（ｅ）に示す通り、第１実施形態乃至第５実施形態である海底砂流出防止装置１、２１、３１、４１及び５１がある。図３の海底砂流出防止装置（ａ）〜（ｅ）は夫々海底に設置されている。
【００３７】
図３（ａ）に示す第１実施形態の海底砂流出防止装置１は、図１及び図２に示すものであり、三次元スプリング構造体３とコンクリート重錘５とを備えた通常タイプである。
【００３８】
図３（ｂ）に示す第２実施形態の海底砂流出防止装置２１は、上面に凹凸が形成された三次元スプリング構造体２３と、コンクリート重錘２５とを備えたタイプである。図３（ｂ）において、図３（ａ）に対応する要素は、番号を２０付加したものとして、図示にとどめ、説明は援用する。
【００３９】
図３（ｃ）に示す第３実施形態の海底砂流出防止装置３１は、コンクリート重錘３５の上面に三次元スプリング構造体３３が立設されたものである。このスプリング構造体３３は、スプリング構造体である固定部３３ａと、固定部３３ａのスプリング構造体の線条と連続する線条から構成されるブラシ状の張り出し部３３ｄとからなるものである。図３（ｃ）において、図３（ａ）に対応する要素は、番号を３０付加したものとして、図示にとどめ、説明は援用する。
【００４０】
図３（ｄ）に示す第４実施形態の海底砂流出防止装置４１は、図３（ａ）のタイプの海底砂流出防止装置が所定角度（４５度程度）をなして、互いに立てかけられたものであり、コンクリート重錘４５の上面に三次元スプリング構造体４３が固定されたものである。図３（ｄ）において、図３（ａ）に対応する要素は、番号を４０付加したものとして、図示にとどめ、説明は援用する。
【００４１】
図３（ｅ）に示す第５実施形態の海底砂流出防止装置５１は、板状ではなく、枠状、直状又は辺状のコンクリート重錘５５の上に三次元スプリング構造体５３を備えたものである。図３（ｅ）において、図３（ａ）に対応する要素は、番号を５０付加したものとして、図示にとどめ、説明は援用する。
【００４２】
図４は他の形態の三次元スプリング構造体３´を示す。三次元スプリング構造体３´は、穴の径が異なる複数の貫通穴２ａ´〜２ｅ´が形成されたものである。ここでは、貫通穴２´は角形であるが、丸形等の他の所定形状でもよい。
【００４３】
第６実施形態の海底砂流出防止装置６１について図５を参照して説明する。この海底砂流出防止装置６１のコンクリート重錘６５は、図５（ａ）に示す通り、正面視で略５角形の形状、側面視で略方形形状である。コンクリート重錘６５は、上面に１対の屋根面６５ａ，６５ｂを備えている。コンクリート重錘６５は、中央部に貫通穴６５ｚが形成されている。コンクリート重錘６５の側面端部に一対の引掛金具６５ｄ，６５ｅが固定されている。引掛金具６５ｄ，６５ｅの伸び出し方向は斜め下方であるが、水平方向、上方向等適宜方向でもよい。コンクリート重錘６５は複数の脚部６５ｆ，６５ｇを備えている。形状および個数は適宜数が実施可能である。引掛金具６５ｄ，６５ｅは海底砂流出防止装置６１を海上に引き上げるときに吊上具として使用されるものである。引掛金具６５ｄ，６５ｅは海底砂流出防止装置６１同士を連結するのに使用できる。図５（ｂ）（ｃ）に示す通り、前記した三次元スプリング構造体２３と同様の構造の凹凸部６３ｈを形成した２枚の三次元スプリング構造体６３が前記屋根面６５ａ，６５ｂにアンカーボルト６８が打ち込まれてナット６９で固定されている。接着剤も用いることが好ましい。三次元スプリング構造体６３の寸法の一例は、１０００ｍｍ×１０００ｍｍであるが、適宜の寸法でよい。他の構成は鋳鉄ブロック等、第１実施形態を援用する。対応する要素の番号は６０を付加するものとする。
【００４４】
第７実施形態の海底砂流出防止装置７１について図６を参照して説明する。この海底砂流出防止装置７１のコンクリート重錘７５は、図６に示す通り、コンクリート製の基礎ブロック７６の上部に別のコンクリート製の上部ブロック７７が固定された構造である。基礎ブロック７６は四角形ブロックが好ましい。基礎ブロック７６の側面隅部に複数（例えば４個）の引掛金具７６ａ〜７６ｄ（２個は図では隠れている）が固定されている。基礎ブロック７６は複数の脚部７６ｅ〜７６ｈ（２個は図では隠れている）を備えている。形状および個数は適宜数が実施可能である。引掛金具７６ａ〜７６ｄは海底砂流出防止装置７１を海上に引き上げるときに使用されるものである。前記した三次元スプリング構造体２３と同様の構造の複数枚（例えば４枚）の三次元スプリング構造体７３ａが上部ブロック７７の側面にアンカーボルト（図示略）が打ち込まれることで固定されている。接着剤も用いることが好ましい。他の三次元スプリング構造体７３を基礎ブロック７６の上面にも固定してもよい。上部ブロック７７を基礎ブロック７６に対して、所定角度（例えば、４５度）回転させて固定した理由は、下部の辺同士で連結すると面と面の間隔がなくなり、日光の当たりが悪くなり、昆布の成長に悪影響を与える可能性があるからである。基礎ブロック７６と上部ブロック７７は一体である。他の構成は鋳鉄ブロック等、第１実施形態を援用する。対応する要素の番号は７０を付加するものとする。
【００４５】
上記コンクリート重錘７５の変更形態であるコンクリート重錘７５´について図７を参照して説明する。このコンクリート重錘７５´は概ねコンクリート重錘７５と同様であるが、その底辺が基礎ブロック７６´の上面の輪郭領域に収まるようになっている。７５ｚ´は貫通穴である。対応する要素にダッシュを付して説明は援用する。
【００４６】
第８実施形態の海底砂流出防止装置８１について図８及び図９を参照して説明する。この海底砂流出防止装置８１のコンクリート重錘８５は、第７実施形態の上部ブロックを削除したものである。図８に示す通り、コンクリート重錘８５は、四角形ブロックが好ましく、側面隅部に複数（例えば４個）の引掛金具８５ａ〜８５ｄが固定されている。コンクリート重錘８５は、複数の脚部８５ｅ〜８５ｈ（８５ｈは図では隠れている）を備えている。コンクリート重錘８５は、上面にアンカーボルト８８ａ〜８８ｄが垂直に植設され、その頭にナット８９ａ〜８９ｄが螺合している。コンクリート重錘８５の中央部には厚み方向に貫通穴８５ｚが形成されている。形状および個数は適宜数が実施可能である。引掛金具８５ａ〜８５ｄは海底砂流出防止装置８１を海上に引き上げるときに使用されるものである。前記した三次元スプリング構造体３と同様の構造の単数又は複数枚（例えば４枚）の三次元スプリング構造体８３がコンクリート重錘８５上面に固定されている。接着剤も用いることが好ましい。他の構成は鋳鉄ブロック等、第１実施形態を援用する。対応する要素の番号は８０を付加するものとする。
【００４７】
第９実施形態の海底砂流出防止装置９１について図１０を参照して説明する。この海底砂流出防止装置９１のコンクリート重錘９５は、図１０（ａ）に示す通り、複数の中空三角形状のコンクリート製のブロック９６ａ…９６ｅ…を備えている。このブロックの厚みは均等厚みが好ましい。各１個のブロック９６に対して、底部端部に一対の引掛金具９７ａ，９７ｂを固定してある。図１０（ｂ）に示す通り、各引掛金具９７ａ，９７ｂは連結部材９８（例えば鎖など）で連結されている。また、各引掛金具９７ａ，９７ｂは海底砂流出防止装置９１を海上に引き上げるときに使用できる。前記した三次元スプリング構造体２３と同様の構造である複数枚の三次元スプリング構造体９３ａ〜９３ｂが各ブロック９６の屋根面に、及び／又は内面に三次元スプリング構造体９３ｃが固定されている。底面は三次元スプリング構造体は固定されていない。三次元スプリング構造体はアンカーボルト（図示略）が打ち込まれることで固定され、張り出し部が形成されている。接着剤も用いることが好ましい。連結部材９８で連結しているので、砂の沖合いへの流出を防止できる。海水が中空部にも流れるので、内部にも海草、海藻が繁殖できる。他の構成は鋳鉄ブロック等、第１実施形態を援用する。図１０では緊締金具の図示は略す。
【００４８】
第１０実施形態の海底砂流出防止装置１０１について図１１を参照して説明する。この海底砂流出防止装置１０１のコンクリート重錘１０５は、第７実施形態の上部ブロックを削除したものである。図１１に示す通り、コンクリート重錘１０５は、四角形ブロックが好ましく、側面隅部に複数（例えば４個）の引掛金具１０５ａ〜１０５ｄが固定されている。コンクリート重錘１０５は、複数の脚部１０５ｅ〜１０５ｈ（１０５ｇ，１０５ｈは図では隠れている）を備えている。コンクリート重錘１０５は、上面にアンカーボルト１０８が垂直に植設され、その頭にナット１０９が螺合している。コンクリート重錘１０５の中央部には厚み方向に貫通穴１０５ｚが形成されている。形状および個数は適宜数が実施可能である。引掛金具１０５ａ〜１０５ｄは海底砂流出防止装置１０１を海上に引き上げるときに使用されるものである。前記した三次元スプリング構造体３と同様の構造の複数枚（図１１では２枚）の三次元スプリング構造体１０３がコンクリート重錘１０５上面に固定されている。また、三次元スプリング構造体１０３の左右側面には、三次元スプリング構造体１０３ｄ，１０３ｅが張り出している。接着剤も用いることが好ましい。他の構成は鋳鉄ブロック等、第１実施形態を援用する。対応する要素の番号は１００を付加するものとする。
【００４９】
第１１実施形態の海底砂流出防止装置２０１について図１２（ａ）を参照して説明する。この海底砂流出防止装置２０１のコンクリート重錘２０５は、第８実施形態と同型である。図１２に示す通り、コンクリート重錘２０５は、四角形ブロックが好ましく、側面隅部に複数（例えば４個）の引掛金具２０５ａ〜２０５ｄ（２０５ｃ，２０５ｄは図では隠れている）が固定されている。コンクリート重錘２０５は、複数の脚部２０５ｅ〜２０５ｈ（２０５ｇ，２０５ｈは図では隠れている）を備えている。コンクリート重錘２０５上面にアンカーボルト２０８ａ〜２０８ｄが垂直に植設され、その頭にナット２０９ａ〜２０９ｄが螺合している。コンクリート重錘２０５の中央部には厚み方向に貫通穴２０８が形成されている。要素の形状および個数は適宜数が実施可能である。引掛金具２０５ａ〜２０５ｄは海底砂流出防止装置２０１を海上に引き上げるときに使用されるものである。前記した三次元スプリング構造体３と同様の構造の図１２（ｂ）に示される長方形の三次元網状構造体である板状体２０３を、図１２（ｃ）で示されるように熱プレスを用いて両端部をＬ字形状に折り曲げて成形し、これをコンクリート重錘２０５に固定する。
このとき、三次元スプリング構造体２０３の張り出し部２０３ｄは、脚部２０５ｅ〜２０５ｈと面一に海底に接していることが好ましい。但し、脚部２０５ｅ〜２０５ｈと海底との間に間隔を設けても良い。
この三次元スプリング構造体２０３同士が接するように海底砂流出防止装置２０１を２列に設置しても良い。
また、三次元スプリング構造体を固定するとき、接着剤も用いることが好ましい。
海底砂流出防止装置２０１のその他の構成については鋳鉄ブロック等、第１実施形態を援用する。対応する要素の番号は２００を付加するものとする。
なお、三次元スプリング構造体２０３は均一の密度分布としたが、粗密を設けても良い。
【００５０】
海底砂流出防止装置１０１の設置について図１３を参照して説明する。図１３の（ａ）が示すように海底砂流出防止装置１０１の左右の張り出し部１０３ｄ，１０３ｅが夫々沿岸と沖合を向くように設置し、同様に海底砂流出防止装置１０１の長手同士が接するように複数列に並べ、緊結金具同士を接合することで固定する。海底砂流出防止装置は単数列を配置してもよい。図１３の（ｂ）が示すように、海底と張り出し部１０３ｄ，１０３ｅの間にできた空間が波の巻き上げた砂を受け止め、砂が波にさらわれるのを防ぐ。この場合、図１３では、海底砂流出防止装置１０１同士には間隙があるが、砂の流出を防止するには、隙間なしで接合することが好ましい。
【００５１】
なお、三次元スプリング構造体の空隙率は、昆布の胞子の付着しやすいものが好ましい。鋳鉄を三次元スプリング構造体に内包させたが、コンクリートに鉄片、鉄屑片、鋳鉄片又は鋳鉄粉粒体を混合してもよい。
【００５２】
海底砂流出防止装置の使用方法は、前記した通りに海底砂流出防止装置を組み立てた後、海底に沈める前に昆布等の海草の胞子を三次元スプリング構造体に付着させる。海草の胞子を海底砂流出防止装置に付着させずに、海底に沈めて胞子が自然に付着するのを待つこともある。
前記した海底砂流出防止装置１等は、昆布に限らず、アラメ、カジメ等にも適用できる。
【００５３】
次に本発明の第１２実施形態である海底砂流出防止装置３０１について図１４を参照して説明する。この海底砂流出防止装置３０１は、熱可塑性樹脂の複数の連続線条のランダムなループの隣接する線条相互を接触絡合集合して成る三次元スプリング構造体３０３を成し、この方形の三次元スプリング構造体３０３を突き合わせて隙間を無くし、三次元スプリング構造体３０３の四隅に固定具３０７を貫通させ、海底に打ち込んで固定することを特徴とする。固定具３０７は、例えば、上部に頭部（アイナット等）を有する杭又はアンカーが好ましい。強度を維持するために、固定具３０７が貫通する三次元スプリング構造体３０３の部位は高密度とし、他は低密度とすることが好ましい。固定具３０７の海底への侵入深さは、深ければ深いほど好ましい。寸法例として、Ｗ１０００×Ｄ２０００×Ｈ１００ｍｍが挙げられる。
【００５４】
次に本発明の第１３実施形態である海底砂流出防止装置４０１について図１５（ａ）（ｂ）を参照して説明する。本実施形態は、第１２実施形態と概ね同様ではあるが、三次元スプリング構造体４０３の形状および構造が異なっている。即ち、三次元スプリング構造体４０３が方形とされて、その両辺が中央部よりも高密部とされ、両辺のうちの一辺を折り曲げて段部４０３ａに形成し、他辺を平板部４０３ｂとし、隣接する三次元スプリング構造体４０３の段部４０３ａの下面と平板部４０３ｂとを重ねた状態で、固定具３０７と同様の固定具４０７で段部４０３ａと平板部４０３ｂとを貫通し、海底に打ち込んですることを特徴とするものである。段部４０３ａと平板部４０３ｂは中間部４０３ｃに比べて高密部とする。粗密の範囲（空隙率の範囲）は前述第１〜第１１実施形態と同様の範囲である。
【００５５】
次に本発明の第１４実施形態である海底砂流出防止装置５０１について図１６（ａ）（ｂ）を参照して説明する。本実施形態は、第１２実施形態と概ね同様ではあるが、三次元スプリング構造体５０３の形状および構造が異なっている。三次元スプリング構造体５０３が方形とされて、その両辺部５０３ａが中間部５０３ｂよりも高密部とされ、隣接する前記三次元スプリング構造体５０３の辺を突き合わせ、突き合わせ部分の上に固定用の三次元プリング構造体５０３ｃを重ねた状態で、固定具５０７で両辺部５０３ａおよび三次元プリング構造体５０３ｃを貫通し、海底に打ち込んで固定するものである。
【００５６】
次に、本発明の第１５実施形態である海底砂流出防止装置６０１について図１７を参照して説明する。本実施形態は、第１２実施形態と概ね同様であるが、熱可塑性樹脂の複数の連続線条のランダムなループの隣接する線条相互を接触絡合集合して成る三次元スプリング構造体６０３を成し、三次元スプリング構造体６０３を突き合わせ、三次元スプリング構造体６０３の上にコンクリート重錘６０５を積載し、固定具６０７で海底に固定するものである。コンクリート重錘６０５はテトラポット等の適宜の形状が採用可能である。
【００５７】
次に、本発明の第１６実施形態である海底砂流出防止装置７０１について図１８を参照して説明する。本実施形態は、第１２実施形態と概ね同様であるが、熱可塑性樹脂の複数の連続線条のランダムなループの隣接する線条相互を接触絡合集合して成る三次元スプリング構造体７０３を成し、三次元スプリング構造体７０３を突き合わせ、三次元スプリング構造体７０３の上にコンクリート重錘７０５を積載し、固定具７０７で海底に固定するものである。コンクリート重錘６０５はテトラポット等の適宜の形状が採用可能である。
【００５８】
（三次元スプリング構造体）
本発明の三次元スプリング構造体３は、海藻、海草の生育を妨げない空隙率に形成されると共に、長期にわたる水中での使用及び成長した海藻、海草の重量にも耐え得る強度を備えるものであり、熱可塑性樹脂の連続線条のランダムなループの隣接する線条相互を接触、絡合、集合して成る所定の密度の隙間を備えてなるスプリング状の三次元構造を備える樹脂成形品である。
【００５９】
この三次元スプリング構造体３は、例えば熱可塑性エラストマーを複数のノズルより所定押出速度において溶融押し出し、後述の引き取り機により引き取り、６００〜９０，０００デニール、好ましくは３，０００〜３０，０００デニール、より好ましくは６，０００〜１０，０００デニールの無垢又は中空の連続線条を形成し、溶融状態の線条に、例えば直径１〜１０ｍｍ、好ましくは直径１〜５ｍｍのループを形成させ、隣同士の線条と水中で接触絡合させることによりランダムなループを形成する。このようにして形成された線条の接触絡合部位の少なくとも一部は、相互に溶融接着される。
【００６０】
前記連続線条は、断面形状が、中実又は中空であって、線径は、無垢の場合、０．５〜３ｍｍ、好ましくは０．７〜２ｍｍ、中空の場合、０．７〜５ｍｍ、好ましくは１〜３ｍｍである。又、前記中空線条の中空率は、３０〜７０％。好ましくは４０〜６０％である。
【００６１】
前記連続線条は、勲可塑性樹脂全般でよいが、オレフィン系樹脂が好ましい。より好ましくは熱可塑性エラストマーよりなり、例えばポリプロピレン、ポリエステル、ナイロン、ＰＶＣのエラストマーより成る。
【００６２】
三次元スプリング構造体の嵩密度は、粗の部分で、０．００９〜０．２８０ｇ／ｃｍ３、好ましくは、０．０２７〜０．２１０、特に０．０４５〜０．０９、密の部分で０．４５〜１．２５ｇ／ｃｍ３、好ましくは、０．５４〜１．１７、特に、０．６３〜１．１０である。
【００６３】
三次元スプリング構造体の空隙率は、粗の部分で、８０〜９９％、好ましくは、８５〜９７％、特に９０〜９５％、密の部分で４０〜９０％、好ましくは、７０〜９０％、特に７５〜８５％である。海藻類の着生部となる全体の平均空隙率は、３０〜９８％、好ましくは、５０％〜９５％、より好ましくは７０％〜８０％である。
【００６４】
（三次元スプリング構造体の製造方法）
前記三次元スプリング構造体の第１の製法を説明する。図１９に示すように、押出機８１０のホッパー８１１より、原料樹脂として例えばポリプロピレンのエラストマーを投入し、これを溶融混練して、成型ダイ８１２に設けた所定径の多数の射出口より押し出し、バス８１５内の引き取り機８１３の引き取りロール８１４，８１４間で厚さ及び嵩密度が設定され、カール又はループ状にランダムに成形されながら、水中で固化し、巻き取りロール８１６，８１６によりスプリング構造を有する樹脂成形品たる三次元スプリング構造体３として取り出される。この三次元スプリング構造体３を構成する線条の押し出しに使用する成型ダイ８１２の一例を図２０及び図２１に示す。
水中において引き取り機８１３の引き取り速度は均一とする。口金の孔の密度を変更することにより、固定部３ａと張り出し部３ｄとを形成するものである。即ち、線条の押出し方向と直交する方向に粗密を形成し、線条の押出し方向と直交する方向に適宜に切断するのである。固定部３ａ及び張り出し部３ｄいずれも熱可塑性樹脂の連続線条のランダムなループの隣接する線条相互を接触、絡合、集合して成るものである。
【００６５】
図２０に示すように、前記三次元スプリング構造体３を成す線条を押し出すための成形ダイ８１２は、合成樹脂の線条が押し出される多数のノズル８２１（図２１参照）を備えており、このノズル８２１より押し出された樹脂材料が固化して線条を形成する。
【００６６】
本実施形態にあっては、この成型ダイ８１２の射出方向に突出する幅方向の断面を矩形状と成す中子体８２２を設け、この中子体８２２の部分において、鉄パイプ等の鉄片の挿入部、また魚道としての役割を持つ線条の存在しない貫通穴２（図２参照）が三次元スプリング構造体３内に形成されるよう構成されている。
【００６７】
このようにして中子体８２２により形成された線条のない貫通穴２は、河川等内にこの三次元スプリング構造体３を配置した際に、魚類等の生物の住処となり、これらの生物の通り道と成る。
【００６８】
図１５及び図１６に示すように、この中子体を幅方向の断面において矩形状に形成しているが、この中子体８２２の形状は、前述のように生物の住処や魚道等と成り得る貫通穴２（図２参照）を三次元スプリング構造体３内に形成し得るものであれば、前記ノズルの一部を閉塞したり、前述矩形に代えて、円柱状、その他如何なる形状とすることもできる。
図２２は中子体８２２が２本の場合である。
貫通穴２を設けない場合には成型ダイ８１２には中子体８２２を設けず、もしくは、ノズルの一部を閉塞する必要がない。
【００６９】
図２３を参照に、三次元スプリング構造体の第２の製法を説明する。尚、図面番号は図１９の番号を９００番台とし、共通の分品については適宜説明を援用する。これは任意の間隔で前記引き取り機６１３の引き取り速度を高速と低速に調整して、長手方向長さで５〜１０ｃｍの低速引き取り時の嵩密度の大きい部分すなわち、高密部である固定部３ａとそれ以外の粗の部分、すなわち粗密部である張り出し部３ｄを有する厚さ２０〜３０ｃｍ、幅１，０００ｍｍの三次元スプリング構造を形成することにより製造するものである。即ち、線条の押出し方向に粗密を形成し、線条の押出し方向と直交する方向に適宜に切断するのである。固定部３ａ及び張り出し部３ｄいずれも熱可塑性樹脂の連続線条のランダムなループの隣接する線条相互を接触、絡合、集合して成るものである。第２の製法は、引取速度を線条の降下速度より高速にすることで、張り出し部３ｄをブラシ状（直毛状又はちぢれ毛状）にすることができる。
【００７０】
この三次元スプリング構造体３は、コンクリート重錘と一体成形し三次元スプリング構造体の一部を埋設することもあるが、この際、高密部Ｂにより生コンクリートが遮蔽されるように、高密部Ｂと低密度部Ａの異密度に構成されることもある（図２５参照）。すなわち、厚さ方向垂直面を境に一方の部位を高密度、他方の部位を低密度に上下異密度成形する。そのため、図２５に示す通り、高密部Ｂの製造はノズル８２１の間隔を狭くし、低密部Ａの製造はノズル８２１の間隔を広くすることにより製造できる。
【００７１】
既設の人工漁礁、離岸堤又は消波ブロック、ケイソンなど海中構築施設などに海底砂流出防止装置１を接合する事も可能である。その場合、消波、護岸ブロック等表面に穴をあけ海底砂流出防止装置１の貫通穴を通してアンカー止め等で接合できる。
【００７２】
図２４に示すように、この中子体を幅方向の断面において矩形状に形成しているが、この中子体６２２の形状は、前述のように生物の住処や魚道等と成り得る貫通穴２（図２参照）を三次元スプリング構造体３内に形成し得るものであれば、前記ノズルの一部を閉塞したり、前述矩形に代えて、円柱状、その他如何なる形状とすることもできる。
【００７３】
図２５に示す通り、高密部Ｂの製造はノズル９２１の間隔を狭くし、低密部Ａの製造はノズル９２１の間隔を広くした成形ダイを用いることにより、厚さ方向垂直面を境に一方の部位を高密度、他方の部位を低密度に上下異密度成形することができる。
【００７４】
海底砂流出防止装置１の動作の一例につき図２６（ａ）〜（ｃ）を参照して説明する。海底の海水の輸送現象の条件によって海水と砂がどのように挙動するかは、設置場所の環境条件によって異なるので、種々の動作が考えられる。海水の流れ条件（速度、圧力、温度等）によって海底砂流出防止装置１がどのような動作をするかについてのメカニズムは詳細に解明されたわけではないが、下記のような動作となることが考えられる。一重線矢印は、海水の流れを示し、白抜矢印は砂の流れを示す。ある条件では、海底砂が顕著に巻き上げられ、浮遊砂現象が起こる。
図２６（ａ）の通り、海底の潮流により、海底の砂の巻き上げが開始され、張り出し部３ｄは揺れ動き始める。
図２６（ｂ）の通り、海底の砂の巻き上げ（舞い上がり）が最大に達するとき、張り出し部３ｄが上方に押し上げられ、浮遊砂は上方への舞い上がりを張り出し部３ｄにより阻止されて海底に戻されるが、海水は張り出し部３ｄにある隙間を通過して上方に抜ける。ただし、網目の隙間よりも細かい径の砂は張り出し部３ｄを通過する可能性がある。
図２６（ｃ）の通り、海底の潮流により、張り出し部３ｄは揺れ動きが減衰する。
海底砂流出防止装置１は図２６（ａ）〜（ｃ）の動作を繰り返す。
【００７５】
【発明の効果】
本発明の海底砂流出防止装置によれば、海砂の巻上げが生じても、張り出し部の揺動によって、海水は通すが砂を通さないことで、砂の舞い上がり現象を防止できる。これにより、海底の砂の巻き上げに伴う砂の沖合いへの流出を防止することができる。三次元スプリング構造体に藻等が付着して繁殖することで、藻場等を回復させることができ、漁礁、人工藻場、人工珊瑚礁等の生物保護資源としても好適である。安価で簡易施工性である。
【００７６】
三次元スプリング構造体の中に挿入した鋳物が海中で溶出し、発生するイオンが昆布等の海藻や植物性プランクトンの栄養源となり、昆布等の繁茂に寄与させることができる。
例えば、昆布は、流れや水深、他の藻類との競合により分布水深等海域により若干の違いがあるが、内湾や外海に面した潮間帯下部から水深５〜２０ｍ前後の岩礁域に生育するといわれる。しかし、この昆布を砂地でも生育させることができる効果がある。
【００７７】
三次元スプリング構造体に繁茂した海藻および植物性プランクトン、海藻類の光合成によって、酸素が放出され、魚介類養殖の生態系、海洋環境を整え、又、春先に育つ全ての魚介類の資源増大、安定効果がある。
【００７８】
さらに、三次元スプリング構造体に繁茂した海藻が富栄養化の要因となる栄養塩を吸収すると共に、クッション構造により、ウニ、貝などによる害を防止し、産卵漁礁効果、陰影効果、飼料効果、集魚効果、幼稚仔保護効果を有する。
【図面の簡単な説明】
【図１】本発明第１実施形態の海底砂流出防止装置１の斜視図である。
【図２】本発明第１実施形態の海底砂流出防止装置１の組み立て方法を示す説明図である。
【図３】（ａ）は第１実施形態の海底砂流出防止装置１の斜視図、（ｂ）は第２実施形態の海底砂流出防止装置２１の斜視図、（ｃ）は第３実施形態の海底砂流出防止装置３１の斜視図、（ｄ）は第４実施形態の海底砂流出防止装置４１の斜視図、（ｅ）は第５実施形態の海底砂流出防止装置５１の斜視図である。
【図４】変更形態の三次元スプリング構造体３´の正面図である。
【図５】（ａ）は本発明第６実施形態のコンクリート重錘６５の正面図、（ｂ）は同第６実施形態の海底砂流出防止装置６１の正面図、（ｃ）は同側面図である。
【図６】本発明第７実施形態の海底砂流出防止装置７１の斜視図である。
【図７】（ａ）は本発明変更形態のコンクリート重錘７５´の平面図、（ｂ）は同斜視図、（ｃ）は同正面図である。
【図８】（ａ）は本発明第８実施形態のコンクリート重錘８５の斜視図、（ｂ）は同海底砂流出防止装置８１の斜視図である。
【図９】（ａ）は本発明第８実施形態のコンクリート重錘８５の平面図、（ｂ）は同正面図である。
【図１０】（ａ）は本発明第９実施形態のコンクリート重錘９５の斜視図、（ｂ）は同海底砂流出防止装置９１の斜視図である。
【図１１】本願発明第１０実施形態の海底砂流出防止装置の外観斜視図である。
【図１２】（ａ）は本願発明第１１実施形態の海底砂流出防止装置２０１の斜視図、（ｂ）は三次元スプリング構造体２０３の原材料を示す斜視図、（ｃ）は三次元スプリング構造体２０３の斜視図である。
【図１３】（ａ）は海底砂流出防止装置の設置例を示した俯瞰図、（ｂ）は同正面図である。
【図１４】本発明第１２実施形態の海底砂流出防止装置の外観斜視図である。
【図１５】（ａ）は本発明第１３実施形態の海底砂流出防止装置の外観斜視図、（ｂ）は同正面断面図である。
【図１６】（ａ）は本発明第１４実施形態の海底砂流出防止装置の外観斜視図、（ｂ）は同正面断面図である。
【図１７】本発明第１５実施形態の海底砂流出防止装置の外観斜視図である。
【図１８】本発明第１６実施形態の海底砂流出防止装置の外観斜視図である。
【図１９】三次元スプリング構造体の第１の製造装置を示す説明図である。
【図２０】成型ダイの正面図である。
【図２１】成型ダイの底面図である。
【図２２】成型ダイ左側面図である。
【図２３】三次元スプリング構造体の第２の製造装置を示す説明図である。
【図２４】成型ダイの底面図である。
【図２５】成型ダイの変更例を示すノズル部分の要部拡大図である。
【図２６】（ａ）〜（ｃ）は本実施形態の海底砂流出防止装置の作用を示す説明図である。
【符号の説明】
１、６１、７１、８１、９１　海底砂流出防止装置　　２　貫通穴
３、２３、３３、４３、５３、３’、６３、７３、８３、９３ａ〜９３ｃ　三次元スプリング構造体
４　鋳鉄ブロック（鋳鉄又は鉄片）
５、２５、３５、４５、５５、６５、７５、７５’、８５、９５　コンクリート重錘
６　接着剤　　７　緊締金具　　８　アンカーボルト　　９　ナット
１０、２ａ’、２ｂ’、２ｃ’、２ｄ’、２ｅ’、８８、　貫通穴
１１　収容穴　　５１０　押出機　５１１　ホッパー　５１２　成型ダイ
５１３　引き取り機　５１４　引き取りロール
５１５　バス　５１６　巻き取りロール
【図１】
2004052421.tif 000003
【図２】
2004052421.tif 000004
【図３】
2004052421.tif 000005
【図４】
2004052421.tif 000006
【図５】
2004052421.tif 000007
【図６】
2004052421.tif 000008
【図７】
2004052421.tif 000009
【図８】
2004052421.tif 000010
【図９】
2004052421.tif 000011
【図１０】
2004052421.tif 000012
【図１１】
2004052421.tif 000013
【図１２】
2004052421.tif 000014
【図１３】
2004052421.tif 000015
【図１４】
2004052421.tif 000016
【図１５】
2004052421.tif 000017
【図１６】
2004052421.tif 000018
【図１７】
2004052421.tif 000019
【図１８】
2004052421.tif 000020
【図１９】
2004052421.tif 000021
【図２０】
2004052421.tif 000022
【図２１】
2004052421.tif 000023
【図２２】
2004052421.tif 000024
【図２３】
2004052421.tif 000025
【図２４】
2004052421.tif 000026
【図２５】
2004052421.tif 000027
【図２６】
2004052421.tif 000028